(57)【要約】      （修正有）【課題】補充液が分布し易いフェイスマスク構造を提供する。【解決手段】第一網体、第二網体、フェイスマスク本体を備える。第一網体とフェイスマスク本体の片側面は重なり、これにより補充液は第一網体に従い、フェイスマスク本体に均一に分布する形態を形成する。第二網体とフェイスマスク本体の反対側面は重なる。【選択図】図１
0003162630.tif 000002
【実用新案登録請求の範囲】
【請求項１】
第一網体、フェイスマスク本体を備え、
前記第一網体と前記フェイスマスク本体の片側面は重なり、これにより補充液は前記第一網体に従い、前記フェイスマスク本体に均一に分布する形態を形成することを特徴とする補充液が分布し易いフェイスマスク構造。
【請求項２】
前記第一網体の材質は、不織布であることを特徴とする請求項１に記載の補充液が分布し易いフェイスマスク構造。
【請求項３】
前記補充液が分布し易いフェイスマスク構造はさらに、第二網体を備え、
前記第二網体と前記フェイスマスク本体の反対側面は重なることを特徴とする請求項１に記載の補充液が分布し易いフェイスマスク構造。
【請求項４】
前記第二網体の材質は、不織布であることを特徴とする請求項３に記載の補充液が分布し易いフェイスマスク構造。
【考案の詳細な説明】
【技術分野】
【０００１】
本考案は補充液が分布し易いフェイスマスク構造に関し、特に補充液をフェイスマスクに注入する時、フェイスマスクを広げる必要がなく、フェイスマスク本体上における補充液の分布状況をより均一にすることができる補充液が分布し易いフェイスマスク構造に関する。
【背景技術】
【０００２】
使用により肌が潤う、或いは美白効果があるなど、フェイスマスクには一定の美容効果がある。
図５、６に示すように、従来のフェイスマスク２は、フェイスマスク本体２１、真珠シート２２を重ねて構成する。
真珠シート２２は、真珠のような光沢を備え、しかも水を通さない材質であるため、一般に真珠シートと呼ばれている。
製造完成後の従来のフェイスマスク２を、メーカーは輸送と収蔵の便のため、通常は折り畳んだ後に、下流の業者へと出荷している。
【０００３】
従来のフェイスマスク２を折り畳んだ後、真珠シート２２がフェイスマスク本体２１の上側に位置するとする。
この場合、下流の業者は、自身で研究開発した補充液を従来のフェイスマスク２に注入しようとする時、先ずは従来のフェイスマスク２を広げる必要がある。
そしてその後に、補充液を注入するが、このようにフェイスマスク２を広げなければ、フェイスマスク本体２１上での補充液の分布は均一にならない。
そのため、製造時の作業が煩瑣で、しかも製造コストを高騰させることになっている。
補充液は、美容液、或いは他の美容効果を備える液体を含むため、一般に業者はエッセンスと呼んでいる。
よって以下では、エッセンスを、補充液に代わって用い、説明する。
もし、従来のフェイスマスク２を広げずに、真珠シート２２上にエッセンスを注入するなら、真珠シート２２は水を通さない特性を備えるため、フェイスマスク本体２１上でのエッセンスの分布状況は不良である。
【０００４】
また、従来のフェイスマスク２を畳んだ後、真珠シート２２が、フェイスマスク本体２１の下側に位置するなら、従来のフェイスマスク２を広げた後でなければエッセンスを注入することはできない。
なぜなら、従来のフェイスマスク２を広げずに、フェイスマスク本体２１にエッセンスを注入しても、真珠シート２２は不透水特性を備えるため、真珠シート２２を通して、エッセンスが下の層のフェイスマスク本体２１へと浸透することはないためである。
すなわち、真珠シート２２がフェイスマスク本体２１の下側に位置しても畳んだままでは、フェイスマスク本体２１上でのエッセンスの分布状況は悪く、また広げる必要があることで、製造工程が煩雑となり、製造コストを押し上げている。
【０００５】
さらに、メーカーが従来のフェイスマスク２を畳む時には、真珠シート２２の表面が滑らかであるため、フェイスマスク本体２１の位置がずれ、さらには真珠シート２２本体の範囲外に出てしまうという状況が起こり易い。
この状況は、従来のフェイスマスク２を封入する時の不便を引き起こしており、しかも、フェイスマスク本体２１が真珠シート２２本体の範囲外に出てしまえば、衛生上の心配も生じる。
また、真珠シート２２がフェイスマスク本体２１の片側面に重なる時、フェイスマスク本体２１は、真珠シート２２の片側面に重なっていないため、２回或いは２回以上折り畳むことにより、フェイスマスク本体２１は、相互に重なり、くっつく恐れがある。
これでは、フェイスマスク２を使用する時に、フェイスマスク本体２１を取り出しにくくなってしまう。
本考案は、従来のフェイスマスク構造の上記した欠点に鑑みてなされたものである。
【考案の概要】
【考案が解決しようとする課題】
【０００６】
本考案が解決しようとする課題は、補充液が分布し易いフェイスマスク構造を提供することである。
【課題を解決するための手段】
【０００７】
上記課題を解決するため、本考案は下記の補充液が分布し易いフェイスマスク構造を提供する。
補充液が分布し易いフェイスマスク構造は、第一網体、フェイスマスク本体を備え、
該第一網体と該フェイスマスク本体の片側面は重なり、これにより該フェイスマスクを折り畳んだ後、該第一網体が該フェイスマスク本体の上側に位置しようと、下側に位置しようと、
該第一網体は孔を備え、しかも液体は、該第一網体上において毛細管現象により均一に分布するため、下流の業者が補充液を該フェイスマスク本体に注入する際にも、該フェイスマスクを広げる必要がなく、該フェイスマスク本体上での補充液の分布状況を均一とすることができ、
これにより、製造プロセスと製造コストを節減することができ、
該フェイスマスクの反対側面に、第二網体を増設することで、該フェイスマスクを折り畳む時に、位置のずれが発生しにくく、さらに該フェイスマスク本体が網体本体の範囲外にはみ出てしまう状況の発生を抑えることができるため、メーカーにとってフェイスマスクの封入が便利となり、
しかも、該フェイスマスク本体が網体本体の範囲外にはみ出てしまい、衛生上の心配が生じる恐れを払拭することができ、
さらに、該第二網体の増設により、該フェイスマスクを折り畳んだ後、該フェイスマスク本体が相互にくっつき、使用時に取り出しにくくなる状況の発生を抑えることができる。
【考案の効果】
【０００８】
本考案の補充液が分布し易いフェイスマスク構造は、下流の業者がエッセンスを注入する際の、プロセスの煩雑さとコスト高の問題を解決することができ、さらにフェイスマスク使用時の不便と、製造時の衛生上の心配を払拭することができる。
【図面の簡単な説明】
【０００９】
【図１】本考案第一実施例の分解図である。
【図２】本考案第二実施例の分解図である。
【図３】本考案の組合せ図である。
【図４】本考案の実施図である。
【図５】従来のフェイスマスクの組合せ図である。
【図６】従来のフェイスマスクの分解図である。
【考案を実施するための形態】
【００１０】
以下に図面を参照しながら本考案を実施するための最良の形態について詳細に説明する。
【００１１】
図１、３、４に示すように、本考案補充液が分布し易いフェイスマスク構造は、第一網体１１、フェイスマスク本体１３を備える。
図１に示すように、第一網体１１とフェイスマスク本体１３の片側面とは重なる。
フェイスマスク１を折り畳んだ後、第一網体１１がフェイスマスク本体１３の上側に位置する時、下流の業者が、補充液を第一網体１１上面に注入すると、毛細管現象により、フェイスマスク本体１３上での補充液の分布状況は均一となる。
本考案では、フェイスマスク１をフェイスマスク袋１５から取り出した後に、フェイスマスク１を広げる必要はなく、図４に示すように、下流の業者は、補充液ボトル１４内の補充液を、フェイスマスク袋１５中に注入することができ、これにより製造プロセスと製造コストを節減することができる。
補充液は、美容液、或いは他の美容効果を備える液体を含むため、一般に業者はエッセンスと呼んでいる。
よって以下では、エッセンスを、補充液に代わって用い、説明する。
【００１２】
フェイスマスク１を折り畳んだ後、第一網体１１がフェイスマスク本体１３の下側に位置する時にも、下流の業者は、フェイスマスク１を広げる必要はない。
なぜなら、第一網体１１の孔は、液体を下の層のフェイスマスク本体１３まで浸透させられるため、エッセンスをフェイスマスク本体１３へと注入することで、フェイスマスク本体１３上でのエッセンスの分布状況は均一となる。
【００１３】
本考案では、実験の後、フェイスマスク本体１３の反対側面にさらに、第二網体１２を設置することとした。
しかも、フェイスマスク本体１３と第二網体１２とは重なり、これによりフェイスマスク１を２回或いは２回以上折り畳んだ後フェイスマスク本体１３が相互に重なり合ってもくっつきにくくなる。
第二網体１２は孔を備えるため、フェイスマスク１を折り畳んだ状態で、下流の業者がエッセンスを注入する際も、フェイスマスク１を広げる必要はなく、エッセンスは第二網体１２を通して下の層のフェイスマスク本体１３へと浸透する。
これにより、フェイスマスク１上におけるエッセンスの分布状況は、より均一となる。
第二網体１２を増設することで、フェイスマスク１を折り畳んだ時、フェイスマスク本体１３の位置がずれる現象は起きにくくなるため、フェイスマスク本体１３が、第一網体１１と第二網体１２の本体外にはみ出てしまう状況は発生しにくい。
よって、メーカーにとっては、封入時の利便性を高め、衛生上の心配を取り除くという効果を達成することができる。
【００１４】
図２は、本考案第二実施例の分解図である。
図２に示すように、第一網体１１と第二網体１２Aの材質を、違うものとすることができるが、第一網体１１と第二網体１２Aは共に、網状の材質で、それらはすべて本考案実施例の範囲に属するものとする。
【００１５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１６】
本考案は実用新案の要件である新規性を備え、従来の同類製品に比べ十分な進歩を有し、実用性が高く、社会のニーズに合致しており、産業上の利用価値は非常に大きい。
【符号の説明】
【００１７】
１  フェイスマスク
１１  第一網体
１２  第二網体
１２A  第二網体
１３  フェイスマスク本体
１４  補充液ボトル
１５  フェイスマスク袋
２  従来のフェイスマスク
２１  フェイスマスク本体
２２  真珠シート
【図１】
0003162630.tif 000003
【図２】
0003162630.tif 000004
【図３】
0003162630.tif 000005
【図４】
0003162630.tif 000006
【図５】
0003162630.tif 000007
【図６】
0003162630.tif 000008